(57)【要約】【課題】集魚効果を得るための発光部材として棒状の発光部材を用いることができ、かつこれを容易に装着することができる、釣り用おもりを提供すること。【解決手段】発光部材（９）を嵌め込むことのできる凹状構造（１）を一または複数個設け、さらに該凹状構造（１）の外縁部（５）には発光部材（９）の脱離を防ぐための一または複数の爪状突起部（３）を設けることによって、該発光部材（９）を脱離させずに装着することのできる、釣り用のおもり（１０）を構成することととする。【選択図】  図１
2004159559.tif 000002
【特許請求の範囲】
【請求項１】
発光部材を装着することのできる釣り用のおもりであって、該発光部材を嵌め込むことのできる凹状構造を有し、該凹状構造の外縁部または内壁部には該発光部材の脱離を防ぐための一または複数の突起部が設けられていることを特徴とする、おもり。
【請求項２】
前記凹状構造はおもりの長手方向に溝状に設けられ、前記突起部は該凹状構造の外縁部に設けられた爪状の構造であって、前記発光部材の脱離方向上で脱離を抑止するものであることを特徴とする、請求項１に記載のおもり。
【請求項３】
前記凹状構造はおもりの長手方向に溝状に設けられ、前記突起部は該凹状構造の内壁部に設けられた構造であって、前記発光部材に対し内壁部の方向から押圧をなすものであることを特徴とする、請求項１に記載のおもり。
【発明の詳細な説明】
【０００１】
【発明の属する技術分野】
本発明は釣り用のおもりに関し、特に、集魚効果を得るための発光部材を容易に装着することができるおもりに関する。
【０００２】
【従来の技術】
特定魚種を対象とした釣り、深海での釣り、あるいは夜釣り等を行う場合、ウキやおもり等を視認可能としたり、集魚効果を高めることを目的として、これらに蛍光塗料を塗布したり、照明装置として電池と電球を収容したウキを用いたり、または化学的な発光を生じる発光部材をおもり等自体やその近接位置に装着することが、従来から行われている。このうち発光部材を用いる方法では、発光部材としてケミホタル（登録商標）や夜光パイプ、夜光玉等と呼ばれるものがすでに提供されている。
【０００３】
発光部材は、ケミホタル（登録商標）を例にあげると、透明なプラスチック製の袋の中に蛍光を発する物質を封入した棒状体の構成をとり、これを折り曲げたり押圧する等して圧力を加えることにより、一定時間継続する発光を生じさせることができる。
【０００４】
かかる発光部材は上記視認効果もさることながら集魚効果に優れているが、これをおもりに取付けようとする場合、おもりの形状に応じて取付け部材を構成する必要があり、仕掛けの構造が複雑になるという問題があった。これを解決しようとする提案が、特開平１１−３１８２９６号公報に開示された「発光部材と一体化したおもり」によりなされている。これは、一部を切り欠いた筒状の、または中空状の発光部材を、細径部を設けたおもりに取付けることにより、発光部材とおもりの一体化を容易にするという方法である。
【０００５】
【特許文献１】
特開平１１−３１８２９６号公報。発明の詳細な説明の段落０００７ないし００１３。図面の、図１、２、３、４、５、および６。
【非特許文献１】
“釣り製品カタログ”、“ケミホタル”、［ｏｎｌｉｎｅ］、日本化学発光株式会社、［平成１４年１１月５日検索］、インターネット＜ＵＲＬ：ｈｔｔｐ：／／ｗｗｗ．ｎｋｈ．ｃｏ．ｊｐ／ｎｋｈｊｐ／ｐｒｏｄｕｃｔ／ｆｉｇｏｏｄ／ｕｋｉｔｏｐ／ｄａｔａ０１．ｈｔｍｌ＞
【０００６】
【発明が解決しようとする課題】
しかし上記先行技術では、発光部材はおもりの相当部分を囲む状態で取り付けることになり、より大型の発光部材を用いることとなるため、不経済である。また、発光部材としては特殊な形状のものを用いる必要があり、棒状の形状の発光部材をそのまま用いることができず、不便である。
【０００７】
本発明の課題は、これら上記従来技術の欠点を除き、集魚効果を得るための発光部材として棒状の発光部材を用いることができ、かつこれを容易に装着することができる、釣り用おもりを提供することである。
【０００８】
【課題を解決するための手段】
本願発明者は上記課題について鋭意検討した結果、おもり自体に棒状発光部材を収容することのできる凹状構造を設けることにより上記課題を解決できることを見出し、本発明に至った。すなわち、上記課題を解決するための手段として本願で特許請求される発明は、以下のとおりである。
【０００９】
（１）発光部材を装着することのできる釣り用のおもりであって、該発光部材を嵌め込むことのできる凹状構造を有し、該凹状構造の外縁部または内壁部には該発光部材の脱離を防ぐための一または複数の突起部が設けられていることを特徴とする、おもり。
【００１０】
（２）前記凹状構造はおもりの長手方向に溝状に設けられ、前記突起部は該凹状構造の外縁部に設けられた爪状の構造であって、前記発光部材の脱離方向上で脱離を抑止するものであることを特徴とする、（１）のおもり。
【００１１】
（３）前記凹状構造はおもりの長手方向に溝状に設けられ、前記突起部は該凹状構造の内壁部に設けられた構造であって、前記発光部材に対し内壁部の方向から押圧をなすものであることを特徴とする、（１）のおもり。
【００１２】
すなわち本発明のおもりは、棒状の発光部材を用いることができ、かつこれを容易に装着することができる釣り用おもりの提供という課題に対し、おもり自体に棒状発光部材を収容することのできる凹状構造を設けるという解決手段を提供与えたものである。
【００１３】
【発明の実施の形態】
以下、本発明を図面により詳細に説明するが、本発明はこれらの図面に表されたものに限定されるものではない。特におもりの形状は多岐に亘るものであり、以下の図に示されるおもりの形状は、その一例を用いて表されたものである。
図１は、本発明のおもりの構成例を示す斜視図である。図において本おもり１０は、発光部材（９  図３参照。）を装着することのできるものであって、該発光部材を嵌め込むことのできる凹状構造１を有し、該凹状構造１の外縁部５または内壁部６には該発光部材の脱離を防ぐための一または複数の突起部３が設けられていることを、主たる構成とする（請求項１）。
【００１４】
図２はなお、本発明のおもり１０のような凹状構造１が設けられていない従来のおもり３０の一例を示す斜視図である。本発明のおもり１０は、かかる従来のおもり３０に凹状構造を加工して設けることにより構成することができる他、一体成型により構成することもでき、製法には特に限定されない。
【００１５】
図１において本発明のおもりは上述のように構成されているため、折り曲げる等の所定の発光開始の作用を施された発光部材（９  図３参照。）は、一または複数設けられた突起部３を擦過して凹状構造１に収容されるよう、押圧されて該凹状構造１に嵌め込まれる。嵌め込まれた発光部材は、該突起部３の作用によって、該凹状構造１からの脱離が防止される。
【００１６】
図３は、図１に示した本発明のおもり１０に発光部材９を装着した状態を示す斜視図である。発光部材９は、一または複数設けられた突起部３を擦過して凹状構造１に収容され、押圧されて該凹状構造１に嵌め込まれる。嵌め込まれた発光部材９は、該突起部３の作用によって、該凹状構造１からの脱離が防止される。該突起部３は、図のように該凹状構造１外縁部５に設けることもできるが、口述するように内壁部６に設けることもできる。図では、外縁部５に突起部３が設けられることにより、発光部材９の脱離の障害として機能し、発光部材９のおもり１０からの脱離は防止される。
【００１７】
図示するように、本発明のおもり１０は発光部材を装着した状態でもその使用態様の寸法には特に変化がなく、また上述した先行技術のようにサイズの大きい発光部材を用いたり、特殊な形状の発光部材を用いる必要がない。
【００１８】
図１および３において、本発明のおもり１０は、前記凹状構造１をおもり１０の長手方向に溝状に設け、前記突起部３は該凹状構造１の外縁部５に設けられた爪状の構造として、前記発光部材９の脱離方向上でその脱離を抑止することのできる構成とすることができる（請求項２）。この場合発光部材９は、折り曲げる等の所定の発光開始の作用を施された後、該爪状の突起部３を擦過して凹状構造１に収容されるよう、押圧されて該凹状構造１に嵌め込まれる。嵌め込まれた発光部材９は、該爪状の突起部３が脱離の障害となることによって、該凹状構造１からの脱離が防止される。
【００１９】
図１および３において前記爪状の突起部３は、前記凹状構造１に収容される発光部材９の脱離の障害となるように構成されればよく、その形状や配設個数は限定されない。したがって図のように、凹状構造外縁部５上に、部分円状突起を二個ずつ対向させて計四個を設けてもよいし、個数はさらに多くても、少なくてもよい。また配設位置は凹状構造１の長手方向を対称軸とする線対称となるように設けてもよいし、線対称とはならないように互い違いに設けてもよい。さらに突起の形状は、縁側状その他適宜の形状としてもよい。
【００２０】
図４は、図１に示した本発明のおもりの、凹状構造を設ける面を正面とした場合の正面図である。本例では、背面図も同一の形状に表れる。すなわち、本発明のおもりは、その特徴である凹状構造を二箇所設けることができ、この場合、発光部材を正面および背面の両面に装着することができるため、集魚効果を増すことができる。
【００２１】
本発明のおもりの形状は図示したものに限定されず、公知のあらゆる形状のおもりについて、本発明を適用することができる。凹状構造の配設数もまた上記二箇所に限られず、たとえば三以上の個数としてもよく、あるいは図８を用いて後述するように一個のみでもよく、配設数や配設箇所に限られず、上述した凹状構造が設けられる限り、すべて本発明のおもりの範囲に入る。
【００２２】
図５は、同様に、図１に示した本発明のおもりの側面図である。本例では側面形状は、左側面、右側面とも同一の形状に表れる。
図６は、同様に、図１に示した本発明のおもりの、凹状構造を設ける面を正面とし、環状部材を上部とした場合の平面図である。
図７は、同様に、図１に示した本発明のおもりの底面図である。
【００２３】
図８は、本発明のおもりの別の実施例の背面図である。正面図、左側面図、右側面図、平面図、および底面図は図１の例と同一の形状に表れる。すなわち本例では、凹状構造は一箇所のみに設けられる。この場合、おもりの製造工程やコストを軽減することができる。
【００２４】
本発明のおもりは、上述の構成とは別の構成をとることもできる。すなわち、本発明のおもりは、凹状構造がおもりの長手方向に溝状に設けられ、前記突起部は該凹状構造の内壁部に設けられた構造であって、これにより前記発光部材に対し内壁部の方向から押圧をなすものであるように構成することができる（請求項３）。
【００２５】
この場合、内壁部に設けられる前記突起部は、発光部材を凹状構造外部から押し入れることができ、かつ該発光部材が収容された後はこれに対して横方向の押圧を付与することのできる構造であればよく、その形状や配設個数は特に限定されない。したがって、明確な突起構造の他に、内壁部に設けられた起伏構造も、本発明の突起部に含む。
【００２６】
かかる構成により、発光部材は、折り曲げる等の所定の発光開始の作用を施された後、前記内壁部に設けられた突起部を擦過して凹状構造に収容されるよう、押圧されて該凹状構造に嵌め込まれる。嵌め込まれた発光部材は、該内壁部上の突起部により横方向に押圧を受けて、これが脱離の障害となることによって、該凹状構造からの脱離が防止される。
【００２７】
【発明の効果】
本発明のおもりは上述のように構成されているため、集魚効果を得るための発光部材として棒状の発光部材を用いることができ、かつこれを容易に装着することができる。さらに、装着した発光部材がおもりから脱離することを有効に防止することができる。
【図面の簡単な説明】
【図１】本発明のおもりの構成例を示す斜視図である。
【図２】本発明のおもりのような凹状構造が設けられていない従来のおもりの一例を示す斜視図である。
【図３】図１に示した本発明のおもり１０に発光部材９を装着した状態を示す斜視図である。
【図４】図１に示した本発明のおもりの、凹状構造を設ける面を正面とした場合の正面図である。本例では、背面図も同一の形状に表れる。
【図５】図１に示した本発明のおもりの側面図である。本例では側面形状は、左側面、右側面とも同一の形状に表れる。
【図６】図１に示した本発明のおもりの、凹状構造を設ける面を正面とし、環状部材を上部とした場合の平面図である。
【図７】図１に示した本発明のおもりの底面図である。
【図８】本発明のおもりの別の実施例の背面図である。正面図、左側面図、右側面図、平面図、および底面図は図１の例と同一の形状に表れる。
【符号の説明】
１、１１…凹状構造、  ３、１３…突起部、  ５…外縁部、  ６、１６…内壁部、  ９…発光部材、  １０…おもり、  ３０…従来のおもり
【図１】
2004159559.tif 000003
【図２】
2004159559.tif 000004
【図３】
2004159559.tif 000005
【図４】
2004159559.tif 000006
【図５】
2004159559.tif 000007
【図６】
2004159559.tif 000008
【図７】
2004159559.tif 000009
【図８】
2004159559.tif 000010